(57)【要約】【課題】壁面や屋根面において、フレーム材で区画された開口部に配置されるパネルの板厚が開口部毎に相違する場合にも１種類のガスケットと受け材の組み合わせによってパネルの板厚の相違に対応する。【解決手段】パネル６が配置される開口部を区画するフレーム材２の表面側に取り付けられ、パネル６の背面を受ける受け材３と、受け材３と共にパネル６を表面側から保持する、リップ部４１とアンカー部４２を有するＴ形断面のガスケット４と、フレーム材２に取り付けられ、ガスケット４のアンカー部４２が差し込まれる定着材５から保持装置１を構成し、定着材５をパネル６の板厚方向に位置調整自在にフレーム材２に取り付ける。【選択図】　　　図１
2004076419.tif 000002
【特許請求の範囲】
【請求項１】
パネルが連続的に配列する壁面、もしくは屋根面において、パネルが配置される開口部を区画するフレーム材を挟んで隣接するパネルを保持する装置であり、前記フレーム材の表面側に取り付けられ、パネルの背面を受ける受け材と、受け材と共にパネルを表面側から保持する、リップ部とアンカー部を有するＴ形断面のガスケットと、フレーム材にパネルの板厚方向に位置調整自在に取り付けられ、前記ガスケットのアンカー部が差し込まれる定着材から構成されるパネルの保持装置。
【請求項２】
フレーム材は定着材が差し込まれる挿入溝を持ち、定着材の幅方向両側面と、前記挿入溝の内周面のいずれか一方に凸部が、他方に前記凸部が嵌合する凹部がそれぞれ形成され、凸部と凹部の少なくともいずれか一方は挿入溝の深さ方向に複数配列しており、定着材は前記凸部と凹部が互いに嵌合してフレーム材に取り付けられている請求項１記載のパネルの保持装置。
【請求項３】
ガスケットのアンカー部を挟んだ両側の受け材の厚さが相違する請求項１、もしくは請求項２記載のパネルの保持装置。
【請求項４】
定着材に差し込まれたガスケットのアンカー部に、パネルの表面側から硬質打込み材が打ち込まれている請求項１乃至請求項３のいずれかに記載のパネルの保持装置。
【発明の詳細な説明】
【０００１】
【発明の属する技術分野】
この発明はガラス等のパネルが連続的に配列する壁面や屋根面において、開口部を区画するフレーム材を挟んで隣接するパネルを保持するパネルの保持装置に関するものである。
【０００２】
【従来の技術】
壁面や屋根面に連続的に敷設されるガラス等のパネルをその周囲において保持するガスケットには図５に示すように両側にのみ込み溝を有するＴ形ガスケット、もしくはＨ形ガスケットが使用されるが、これらのガスケットが保持し得るパネルの板厚寸法は両側のリップ部ののみ込み溝の大きさによって一義的に決まっているため、異なるパネルの板厚に応じてガスケットののみ込み溝の幅を変える必要がある。
【０００３】
このため、図６に示すようにフレーム材で区画された全開口部に配置されるパネルの板厚が同一でない場合、フレーム材を挟んだ両側のパネルの板厚が相違する部分には両側でのみ込み溝の幅の相違するガスケットを用意しなければならない。
【０００４】
例えば図６に示す３列×４段の開口部に１０ｍｍ、１２ｍｍ、１５ｍｍの３種類の板厚のガラスを配置する場合において、全開口部の外周にＨ形ガスケットを使用し、隣接する開口部間に図５に示すＴ形ガスケットを使用した場合、表１に示すようにＨ形ガスケットは３種類、Ｔ形ガスケットは６種類必要となる。
【０００５】
また直線状の各ガスケットを隅角部でつなぐための隅角部用の接続金型としては表２に示すように９０°用が１０ｍｍ、１２ｍｍ、１５ｍｍの３種類、Ｔ字形部用が１０／１０、１０／１２、１２／１０、１２／１２、１２／１５、１５／１２、１５／１５の７種類、十字形部用が１０／１０／１０／１０、１２／１０／１０／１０、１２／１０／１２／１０、１５／１０／１２／１０、１５／１２／１５／１０の５種類必要となる。
【０００６】
【表１】
2004076419.tif 000003
【０００７】
【表２】
2004076419.tif 000004
【０００８】
図５に示すＴ形ガスケットに代え、例えばガスケットを、パネルを表面側から押さえる本体ガスケットと、パネルを背面側から受ける受けガスケット（ライナー）とに分離させれば（特許文献１、特許文献２参照）、受けガスケットの厚さを変えることでパネルの板厚の相違に対応することが可能である。
【０００９】
【特許文献１】
特開平１０−８８９２５号公報（００１３、図２〜図４）
【００１０】
【特許文献２】
特開平１１−１７３０１４号公報（図２〜図５）
【００１１】
【発明が解決しようとする課題】
しかしながら、フレーム材に対する本体ガスケットの取付深さ（アンカー部の定着深さ）は決まっていることから、本体ガスケットの寸法を一定にしたまま、板厚の相違するパネルを保持するにはパネルの板厚毎に厚さの異なる受けガスケットを用意しなければならないため、板厚の相違するパネルの種類に応じた種類の受けガスケットは必要であり、１種類の本体ガスケットと受けガスケットの組み合わせによってはパネルの板厚の相違に対応することはできない。
【００１２】
この発明は上記背景より、１種類のガスケットによってパネルの板厚の相違に対応可能なパネルの保持装置を提案するものである。
【００１３】
【課題を解決するための手段】
本発明ではパネルが連続的に配列する壁面、もしくは屋根面において、パネルが配置される開口部を区画するフレーム材の表面側に取り付けられ、パネルの背面を受ける受け材と、受け材と共にパネルを表面側から保持する、リップ部とアンカー部を有するＴ形断面のガスケットと、フレーム材にパネルの板厚方向に位置調整自在に取り付けられ、ガスケットのアンカー部が差し込まれる定着材から保持装置を構成し、パネルの板厚に応じて定着材のフレーム材に対する取付深さを調整することにより、１種類のガスケットと受け材の組み合わせによってパネルの板厚の相違に対応する。
【００１４】
パネルはその背面側に位置する受け材と、表面側に位置するガスケットのリップ部に挟み込まれた状態で保持される。形式的にはパネルを保持する保持部材がガスケットと受け材とに分離することで、前記特許文献１，２における本体ガスケットと受けガスケットの関係と同様であるが、ガスケットのアンカー部が定着される定着材がフレーム材に対してパネルの板厚方向、すなわちアンカー部の深さ方向に位置調整自在に取り付けられることで、同一のガスケットと受け材を用いながらも、定着材のフレーム材への取付深さに応じてガスケットのリップ部と受け材との間の間隔を自由に調整することができるため、一組のガスケットと受け材の組み合わせによって板厚の相違する複数種類のパネルを保持することができる。
【００１５】
具体的には請求項２に記載のようにフレーム材に、定着材が差し込まれる挿入溝を形成し、定着材の幅方向両側面と、挿入溝の内周面のいずれか一方に凸部を、他方に凸部が嵌合する凹部をそれぞれ形成し、凸部と凹部の少なくともいずれか一方を挿入溝の深さ方向に複数配列させ、凸部と凹部を互いに嵌合させることにより定着材がフレーム材に対してパネルの板厚方向に位置調整自在に取り付けられる。
【００１６】
１種類のガスケットと受け材の組み合わせによってパネルの板厚の相違に対応できることで、ある壁面や屋根面に配置される複数枚のパネルが同一の板厚でない場合にも１種類のガスケットを用意すればよく、またそのガスケットを隅角部でつなぐための金型も１種類で済むため、ガスケットの製作コストの削減が図られる。
【００１７】
定着材がフレーム材に取り付けられた状態では、パネルが受ける負圧に対し、パネルを安定して保持する上で、定着材がフレーム材から抜け出すことなく取付状態を維持できることが必要であるが、請求項２の場合、負圧による抜け出そうとする力に対し、定着材はフレーム材との凸部と凹部の嵌合による係合により抵抗するため、簡易な手段で取付状態を維持することができる。
【００１８】
定着材はガスケットのアンカー部が差し込まれる前にフレーム材に取り付けられていればよいため、請求項２の場合、定着材は例えば材軸方向にスライドさられることによりフレーム材に取り付けられる。
【００１９】
フレーム材を挟んだ両側のパネルの板厚が相違する部分においては、請求項３に記載のように同一のガスケットを用いながら、ガスケットのアンカー部を挟んだ両側の受け材の厚さを変えることで対応することができ、同一のガスケットによって両側のリップ部において板厚の相違するパネルを同時に保持することができる。
【００２０】
図７に示すように３列×４段の開口部に１０ｍｍ、１２ｍｍ、１５ｍｍの３種類の板厚のガラスを図６と同じ条件で配置する場合においては、表３に示すように３種類の受け材を使い分けることで、ガスケットは１種類で済み、表４に示すように金型も９０°用、Ｔ字形部用、十字形部用のいずれもそれぞれ１種類で済む。
【００２１】
【表３】
2004076419.tif 000005
【００２２】
【表４】
2004076419.tif 000006
【００２３】
パネルが受ける負圧が大きくなることが想定される場合には、請求項４に記載のように定着材に差し込まれたガスケットのアンカー部に、パネルの表面側から硬質打込み材が打ち込まれることにより、アンカー部の定着材からの抜け出しに対する安定性が確保される。
【００２４】
【発明の実施の形態】
請求項１に記載の発明のパネル６の保持装置１は図１に示すようにパネル６が配置される開口部を区画するフレーム材２に取り付けられ、パネル６の背面を受ける受け材３と、受け材３と共にパネル６を表面側から保持する、リップ部４１とアンカー部４２からなるＴ形断面のガスケット４と、フレーム材２にパネル６の板厚方向に位置調整自在に取り付けられ、ガスケット４が差し込まれる定着材５から構成され、パネル６が連続的に配列する壁面、もしくは屋根面において、隣接するパネル６，６を保持する装置である。
【００２５】
パネル６はガラスを始め、樹脂パネル、鋼製パネル、ハニカムパネル、石材パネル、コンクリートパネル等、壁面や屋根面を構成し得るパネル全般を含む。フレーム材２には、パネル６が例えばカーテンウォールを構成する場合の方立や無目その他の開口枠や框、あるいは構造体から屋外側へ張り出して構造体に支持されるアーム状部材等が含まれ、開口部を区画しながら、パネル６が受ける荷重を負担する。
【００２６】
パネル６は周囲をガスケット４に保持され、ガスケット４が方立や無目等、または柱や梁、スラブ、トラス架構その他の構造体に接続されるフレーム材２に接続されることでカーテンウォールその他の壁面や屋根面を構成する他、建物開口部にガスケット４と共に直接的に収納され、開口枠としてのフレーム材２に保持されることにより嵌殺し窓等を構成する。
【００２７】
フレーム材２は定着材５が差し込まれる断面上の中央部の挿入溝２１と、その幅方向両側に張り出し、受け材３を受ける張出部２２，２２を持ち、挿入溝２１に定着材５が深さ方向に位置調整自在に取り付けられ、保持される。
【００２８】
図面では定着材５に、挿入溝２１の内法に対応した幅を与え、定着材５の幅方向両側面に突起等の凸部５ａを形成し、挿入溝２１の内周面に凸部５ａが嵌合する凹部２ａを深さ方向に複数個形成し、定着材５の凸部５ａを挿入溝２１のいずれかの凹部２ａに嵌合させることにより定着材５を深さ方向に位置調整自在にフレーム材２に取り付け、保持させているが、挿入溝２１の凸部２ａを１箇所形成し、定着材５の凸部５ａを深さ方向に複数配列させる場合の他、定着材５に凹部を、挿入溝２１に凸部を形成する場合もある。
【００２９】
この他、定着材５は挿入溝２１の深さ方向の任意の位置でフレーム材２に固定された状態に保持されればよいため、定着材５を挿入溝２１に位置調整自在に取り付けるための方法はこれらに限られない。
【００３０】
図示する場合を含め、定着材５とフレーム材２のいずれか一方に凸部を、他方に凹部を形成した場合、定着材５はフレーム材２の材軸方向にスライドさられることによりフレーム材２に取り付けられる。
【００３１】
定着材５とフレーム材２は共に材軸方向に連続する形状をするため、アルミニウム合金の押し出し形材や鋼材等で形成される。あるいはフレーム材２が押し出し形材や鋼材等で形成され、定着材５が合成樹脂の押し出し成型等により形成される。
【００３２】
張出部２２のパネル６側の面と、定着材５に差し込まれたときのガスケット４のリップ部４１の背面との間には定着材５が挿入溝２１の最も深い位置で保持された図１の状態で、パネル６と受け材３の各板厚を加えた程度の間隔が確保される。この張出部２２とリップ部４１との間の間隔は定着材５が挿入溝２１の最も深い位置で保持されたときが最も小さく、定着材５が挿入溝２１の最も浅い位置で保持されたときが最も大きく、この範囲内でパネル６の板厚の相違に対応する。図２，図３は中間の深さで定着材５が挿入溝２１に保持されたときの様子を示す。
【００３３】
ガスケット４の両リップ部４１，４１が保持するパネル６，６の板厚が互いに相違する場合には、定着材５の挿入溝２１への挿入位置を板厚の大きいパネル６に合わせて定着材５を挿入溝２１に保持させた状態で、図３，表３に示すように両側の受け材３，３の板厚を変えることにより対応する。パネル６を受ける受け材３には主にガスケット４と同様、シリコンゴム、クロロプレンゴム、ＥＰＤＭ等のゴムが使用される。
【００３４】
ガスケット４の両リップ部４１，４１がパネル６，６を保持した状態で、両リップ部４１，４１の中央部にジッパーガスケット４３が打ち込まれることによりガスケット４によるパネル６，６の保持作業が完了する。
【００３５】
図４はパネル６が受ける負圧が大きくなる場合に備えてガスケット４のアンカー部４２にパネル６の表面側から硬質打込み材７を打ち込み、アンカー部４２の定着材５からの抜け止めを施した場合を示す。硬質打込み材７は棒状、もしくは板状をし、アンカー部４２の長さ方向に間隔を隔てて部分的に、または連続的に打ち込まれる。硬質打込み材７にはエボナイト等の硬質ゴム等、容易に変形しない材料が使用される。
【００３６】
【発明の効果】
パネルが配置される開口部を区画するフレーム材の表面側に取り付けられ、パネルの背面を受ける受け材と、受け材と共にパネルを表面側から保持する、リップ部とアンカー部を有するＴ形断面のガスケットと、フレーム材に取り付けられ、ガスケットのアンカー部が差し込まれる定着材から保持装置を構成し、パネルの板厚に応じて定着材のフレーム材に対する取付位置を調整自在にするため、１種類のガスケットと受け材の組み合わせによってパネルの板厚の相違に対応することができる。
【００３７】
特にガスケットのアンカー部が定着される定着材がフレーム材に対してパネルの板厚方向、すなわちアンカー部の深さ方向に位置調整自在に取り付けられることで、同一のガスケットと受け材を用いながらも、定着材のフレーム材への取付深さに応じてガスケットのリップ部と受け材との間隔を自由に調整することができるため、一組のガスケットと受け材の組み合わせによって板厚の相違する複数種類のパネルを保持することができる。
【００３８】
１種類のガスケットと受け材の組み合わせによってパネルの板厚の相違に対応できることで、ある壁面や屋根面に配置される複数枚のパネルが同一の板厚でない場合にも１種類のガスケットを用意すればよく、またそのガスケットを隅角部でつなぐための金型も１種類で済むため、ガスケットの製作コストの削減が図られる。
【００３９】
請求項２ではフレーム材に、定着材が差し込まれる挿入溝を形成し、定着材の幅方向両側面と、挿入溝の内周面のいずれか一方に凸部を、他方に凸部が嵌合する凹部をそれぞれ形成し、凸部と凹部の少なくともいずれか一方を挿入溝の深さ方向に複数配列させ、凸部と凹部を互いに嵌合させることで、負圧による抜け出し力に対して抵抗させるため、簡易な手段で定着材のフレーム材への取付状態を維持することができる。
【００４０】
請求項３ではガスケットのアンカー部を挟んだ両側の受け材の厚さを変えるため、フレーム材を挟んだ両側のパネルの板厚が相違する部分においても同一のガスケットを用いながら対応することができる。
【００４１】
請求項４ではガスケットのアンカー部に、パネルの表面側から硬質打込み材を打ち込むため、パネルが受ける負圧が大きくなる場合にも、アンカー部の定着材からの抜け出しに対する安定性を確保することができる。
【図面の簡単な説明】
【図１】請求項１記載の発明の保持装置を示した断面図である。
【図２】定着材の挿入深さを変えたときの様子を示した断面図である。
【図３】板厚の相違するパネルを保持した様子を示した断面図である。
【図４】請求項４記載の発明の保持装置を示した断面図である。
【図５】従来の保持装置としてのガスケットの例を示した断面図である。
【図６】図５のガスケットを用いて板厚の相違する複数枚のパネルが配置される開口部におけるガスケットの使用例を示した配置図である。
【図７】本発明のガスケットを用いて板厚の相違する複数枚のパネルが配置される開口部におけるガスケットの使用例を示した配置図である。
【符号の説明】
１……保持装置、２……フレーム材、２１……挿入溝、２ａ……凹部、２２……張出部、３……受け材、４……ガスケット、４１……リップ部、４２……アンカー部、４３……ジッパーガスケット、５……定着材、５ａ……凸部、６……パネル、７……硬質打込み材。
【図１】
2004076419.tif 000007
【図２】
2004076419.tif 000008
【図３】
2004076419.tif 000009
【図４】
2004076419.tif 000010
【図５】
2004076419.tif 000011
【図６】
2004076419.tif 000012
【図７】
2004076419.tif 000013